(57)【要約】【課題】  側壁部の全体形状及び傾きを調整できる容器を提供する。【解決手段】  容器１０は、底面部１１と側壁部１３とからなり、上部が開放されたものである。側壁部１３は、所定間隔をおいて配置される４つの差込片２０ａ〜２０ｄと、これらの間に配置される４つの被差込片３０ａ〜３０ｄとからなる。被差込片３０ａの周方向の一方端部３８ａには一方端部３８ａ側の差込片２０ａの一方の部分２８ａが、被差込片３０ａの周方向の他方端部３９ａには他方端部３９ａ側の差込片２０ｄの他方の部分２９ｄが、それぞれ所定範囲において抜き差し自在に差し込まれる。他の被差込片３０ｂ〜３０ｄの各々及び差込片２０ｂ、２０ｃも同様に構成され、これらの差し込み程度を調整することによって、側壁部１３の全体形状及び傾きを調整することができる。【選択図】  図２
2014042480.tif 000002
【特許請求の範囲】
【請求項１】
板状体よりなる底面部と、前記底面部の周縁より上方に立ち上がる側壁部とからなる、上部が開放された容器であって、
前記側壁部は、
所定間隔をおいて配置され、板状体よりなる少なくとも２つの差込片と、
前記差込片の各々の間に配置され、前記差込片の周方向の少なくとも一方における所定範囲の部分を抜き差し自在に差し込むことができる、少なくとも２つの被差込片とからなる容器。
【請求項２】
前記被差込片の各々は、板状体を前記底面部の水平方向を折り目として２つ折りにしたものよりなり、
周方向の一方端部に、前記一方端部側の前記差込片の一方の部分が抜き差し自在に差し込まれ、
周方向の他方端部に、前記他方端部側の前記差込片の他方の部分が抜き差し自在に差し込まれ、
前記差込片の各々及び前記被差込片の各々は、前記底面部と一枚の板状素材から一体的に形成される、請求項１記載の容器
【請求項３】
前記被差込片の各々は、板状体を前記底面部の水平方向を折り目として２つ折りにしたものよりなり、前記底面部の前記周縁より連続的に形成され、
前記差込片の各々は、前記被差込片の各々の前記２つ折りの一方から周方向の一方端部が延びるように形成され、
前記被差込片の各々の周方向の他方端部に、前記差込片の各々の部分が抜き差し自在に差し込まれる、請求項１記載の容器。
【請求項４】
前記差込片の各々及び前記被差込片の各々は、前記側壁部の上端部が平面視４以上の偶数の多角形となるように配置される、請求項１から請求項３のいずれかに記載の容器。
【請求項５】
前記差込片の各々及び前記被差込片の各々は、前記側壁部の上端部が平面視３以上の奇数の多角形となるように配置される、請求項１又は請求項３記載の容器。
【請求項６】
前記差込片の各々及び前記被差込片の各々は、前記側壁部の上端部が平面視円形となるように配置される、請求項１記載の容器。
【発明の詳細な説明】
【技術分野】
【０００１】
この発明は容器に関し、特に猫等の愛玩動物の寝床に用いられる容器に関するものである。
【背景技術】
【０００２】
猫は、狭い所を好むという習性を持つ。特に眠る時にあっては、体を丸めて横たわることができると共に、体を沿わせることができる土鍋のような形状のものに入り込んで眠ることを好むことが知られている。このような猫の習性を踏まえて、以下のような愛玩動物用ベッドが提案されている。
【０００３】
図１４は、特許文献１に示されているそのような愛玩動物用ベッドの正面図であり、図１５は、図１４に示したＡ−Ａラインの断面図である。
【０００４】
これらの図を参照して、愛玩動物用ベッド９０は、一定の板厚を有する円形リング状又は円形にカットされた段ボール板Ｄ１〜Ｄ１２を積層して底面部９１及び側壁部９２を形成し、猫が丸くなって寝ることができる程度の大きさを有した上面開放型の容器形状に形成されている。尚、段ボール板Ｄ１〜Ｄ１２の各々は、最上層の段ボール板Ｄ１から最下層の段ボール板Ｄ１２にかけてその外形が一定の比率で漸減する異種サイズに形成されている。これにより、段ボール板Ｄ１〜Ｄ１２の各々をその中心を揃えて積層すると、外面全体が均整な多段形状を成す容器形状が形成されることとなる。
段ボール板Ｄ１〜Ｄ１２の各々は、ホルダ９３ａ及び９３ｂが嵌め付けられることにより一括保持され、接着剤によらずして愛玩動物用ベッド９０として一体化されている。
【先行技術文献】
【特許文献】
【０００５】
【特許文献１】実用新案登録第３１６３４２９号公報
【発明の概要】
【発明が解決しようとする課題】
【０００６】
上記のような愛玩動物用ベッド９０は、段ボール板Ｄ１〜Ｄ１２のサイズによって側壁部９２の全体形状や傾き等が決まってしまい、ペットの大きさや好みに合わせて側壁部９２を調整することができない不便なものであった。
【０００７】
この発明は、上記のような課題を解決するためになされたもので、側壁部の全体形状及び傾きを調整できる容器を提供することを目的とする。
【課題を解決するための手段】
【０００８】
上記の目的を達成するために、請求項１記載の発明は、板状体よりなる底面部と、底面部の周縁より上方に立ち上がる側壁部とからなる、上部が開放された容器であって、側壁部は、所定間隔をおいて配置され、板状体よりなる少なくとも２つの差込片と、差込片の各々の間に配置され、差込片の周方向の少なくとも一方における所定範囲の部分を抜き差し自在に差し込むことができる、少なくとも２つの被差込片とからなるものである。
【０００９】
このように構成すると、被差込片の各々に対する差込片の各々の差込量が調整できる。
【００１０】
請求項２記載の発明は、請求項１記載の発明の構成において、被差込片の各々は、板状体を底面部の水平方向を折り目として２つ折りにしたものよりなり、周方向の一方端部に、一方端部側の差込片の一方の部分が抜き差し自在に差し込まれ、周方向の他方端部に、他方端部側の差込片の他方の部分が抜き差し自在に差し込まれ、差込片の各々及び被差込片の各々は、底面部と一枚の板状素材から一体的に形成されるものである。
【００１１】
このように構成すると、底面部、差込片の各々及び被差込片の各々が一枚の板状素材から形成される。
【００１２】
請求項３記載の発明は、請求項１記載の発明の構成において、被差込片の各々は、板状体を底面部の水平方向を折り目として２つ折りにしたものよりなり、底面部の周縁より連続的に形成され、差込片の各々は、被差込片の各々の２つ折りの一方から周方向の一方端部が延びるように形成され、被差込片の各々の周方向の他方端部に、差込片の各々の部分が抜き差し自在に差し込まれるものである。
【００１３】
このように構成すると、差込片の各々と被差込片の各々とが部分的に一体的なものとなる。
【００１４】
請求項４記載の発明は、請求項１から請求項３のいずれかに記載の発明の構成において、差込片の各々及び被差込片の各々は、側壁部の上端部が平面視４以上の偶数の多角形となるように配置されるものである。
【００１５】
このように構成すると、差込片の各々及び被差込片の各々が４以上の偶数の中空多角柱形状を形成するように配置される。
【００１６】
請求項５記載の発明は、請求項１又は請求項３記載の発明の構成において、差込片の各々及び被差込片の各々は、側壁部の上端部が平面視３以上の奇数の多角形となるように配置されるものである。
【００１７】
このように構成すると、差込片の各々及び被差込片の各々が３以上の奇数の中空多角柱形状を形成するように配置される。
【００１８】
請求項６記載の発明は、請求項１記載の発明の構成において、差込片の各々及び被差込片の各々は、側壁部の上端部が平面視円形となるように配置されるものである。
【００１９】
このように構成すると、差込片の各々及び被差込片の各々が中空円柱形状を形成するように配置される。
【発明の効果】
【００２０】
以上説明したように、請求項１記載の発明は、被差込片の各々に対する差込片の各々の差込量が調整できるので、側壁部の全体形状及び傾きを調整できる。
【００２１】
請求項２記載の発明は、請求項１記載の発明の効果に加えて、底面部、差込片の各々及び被差込片の各々が一枚の板状素材から形成されるので、部品毎に形成せずに済み、形成が容易となる。
【００２２】
請求項３記載の発明は、請求項１記載の発明の効果に加えて、差込片の各々と被差込片の各々とが部分的に一体的なものとなるので、継ぎ目の少ない容器となる。
【００２３】
請求項４記載の発明は、請求項１から請求項３のいずれかに記載の発明の効果に加えて、差込片の各々及び被差込片の各々が４以上の偶数の中空多角柱形状を形成するように配置されるので、側壁部の形状が安定する。
【００２４】
請求項５記載の発明は、請求項１又は請求項３記載の発明の効果に加えて、差込片の各々及び被差込片の各々が３以上の奇数の中空多角柱形状を形成するように配置されるので、側壁部の形状が安定する。
【００２５】
請求項６記載の発明は、請求項１記載の発明の効果に加えて、差込片の各々及び被差込片の各々が中空円柱形状を形成するように配置されるので、側壁部が滑らかになる。
【図面の簡単な説明】
【００２６】
【図１】この発明の第１の実施の形態による容器の直立状態の正面模式図である。
【図２】図１で示した容器の平面模式図である。
【図３】図１で示した容器の展開模式図である。
【図４】図１で示した容器の内窄まり状態の正面模式図である。
【図５】図４で示した容器の平面模式図である。
【図６】図１で示した容器の外広がり状態の正面模式図である。
【図７】図６で示した容器の平面模式図である。
【図８】この発明の第２の実施の形態による容器の平面模式図である。
【図９】この発明の第３の実施の形態による容器の平面模式図である。
【図１０】図９で示した容器の展開模式図である。
【図１１】この発明の第４の実施の形態による容器の平面模式図である。
【図１２】図１１で示した容器の組み立て工程を示した模式図である。
【図１３】図１２の（２）で示した“Ｘ”部分の拡大図及びその端面図である。
【図１４】従来の愛玩動物用ベッドの正面図である。
【図１５】図１４に示したＡ−Ａラインの断面図である。
【発明を実施するための形態】
【００２７】
図１は、この発明の第１の実施の形態による容器の直立状態の正面模式図であり、図２は、図１で示した容器の平面模式図であり、図３は、図１で示した容器の展開模式図である。
【００２８】
まず、図１及び図２を参照して、容器１０は、段ボール製の板状体よりなる底面部１１と、底面部１１の周縁１２より上方に立ち上がる側壁部１３とからなり、上部が開放されたものである。
【００２９】
側壁部１３は、所定間隔をおいて配置される４つの差込片２０ａ〜２０ｄと、差込片２０ａ〜２０ｄの各々の間に配置される４つの被差込片３０ａ〜３０ｄとからなり、差込片２０ａ〜２０ｄの各々及び被差込片３０ａ〜３０ｄの各々は、側壁部１３の上端部１４が平面視八角形となるように配置される。
【００３０】
このように形成すると、差込片２０ａ〜２０ｄの各々及び被差込片３０ａ〜３０ｄの各々が中空八角柱形状を形成するように配置されるから、側壁部１３の形状が安定する。
【００３１】
ここで、図３を参照して、差込片２０ａ〜２０ｄの各々及び被差込片３０ａ〜３０ｄの各々は、底面部１１と共に一枚の板状素材１から一体的に形成されている。尚、図１及び図２に示す容器１０は、板状素材１を図３の破線で示す折り目２、折り目２２ａ〜２２ｄ、折り目２３ａ〜２３ｄ、折り目３２ａ〜３２ｄ、折り目３３ａ〜３３ｄの各々にて谷折りにして組み立てたものよりなる。
【００３２】
このように構成すると、底面部１１、差込片２０ａ〜２０ｄの各々及び被差込片３０ａ〜３０ｄの各々が一枚の板状素材１から形成されるので、部品ごとに形成せずに済み、形成が容易となる。
【００３３】
被差込片３０ａ〜３０ｄの各々は、図３の破線で示す底面部１１の水平方向の折り目３２ａ〜３２ｄ、折り目３３ａ〜３３ｄの各々にて折り曲げて２つ折りにしたものよりなる。尚、被差込片３０ａ〜３０ｄの各々の形状は、突起３４ａ〜３４ｄの各々を対向する開口３５ａ〜３５ｄの各々に挿入して係止することで保たれている。
【００３４】
ここで再び図１及び図２を参照して、被差込片３０ａの周方向の一方端部３８ａには、一方端部３８ａ側の差込片２０ａの一方の部分２８ａが、所定範囲において抜き差し自在に差し込まれる。又、被差込片３０ａの周方向の他方端部３９ａには、他方端部３９ａ側の差込片２０ｄの他方の部分２９ｄが、所定範囲において抜き差し自在に差し込まれる。尚、被差込片３０ｂの周方向の一方端部３８ｂには差込片２０ｂの一方の部分２８ｂが、周方向の他方端部３９ｂには差込片２０ａの他方の部分２９ａが同様に差し込まれる。又、被差込片３０ｃの周方向の一方端部３８ｃには差込片２０ｃの一方の部分２８ｃが、周方向の他方端部３９ｃには差込片２０ｂの他方の部分２９ｂが同様に差し込まれる。更に、被差込片３０ｄの周方向の一方端部３８ｄには差込片２０ｄの一方の部分２８ｄが、周方向の他方端部３９ｄには差込片２０ｃの他方の部分２９ｃが同様に差し込まれる。
【００３５】
このように構成すると、被差込片３０ａ〜３０ｄの各々に対する差込片２０ａ〜２０ｄの各々の差込量が調整できる。その結果、側壁部１３の上端部１４の周方向の長さを調整できるので、側壁部１３の全体形状及び傾きを調整できる。
【００３６】
図４は、図１で示した容器の内窄まり状態の正面模式図であり、図５は、図４で示した容器の平面模式図である。
【００３７】
まず、図４及び図５を参照して、容器１０の側壁部１３の全体形状及び傾きが、容器１０の内方側に傾いたものとなっている。
【００３８】
ここで、図３を参照して、図４及び図５に示す容器１０を組み立てるために、差込片２０ａ〜２０ｄを、図３の一点鎖線で示す折れ目２４ａ〜２４ｄ、折れ目２５ａ〜２５ｄの各々で谷折りに折り曲げる。このようにすると、差込片２０ａ〜２０ｄの各々の一方の部分２８ａ〜２８ｄの各々と、他方の部分２９ａ〜２９ｄの各々とにおける所定範囲が広がる。よって、差込片２０ａ〜２０ｄの被差込片３０ａ〜３０ｄへの差込をより深く行うことができる。その結果、差込片２０ａ〜２０ｄの各々及び被差込片３０ａ〜３０ｄの各々が内方に傾き、図４及び図５に示すように、容器１０の形状が内窄まりのものとなる。
【００３９】
図６は、図１で示した容器の外広がり状態の正面模式図であり、図７は、図６で示した容器の平面模式図である。
【００４０】
まず、図６及び図７を参照して、容器１０の側壁部１３の全体形状及び傾きが、容器１０の外方側に傾いたものとなっている。
【００４１】
ここで、図３を参照して、図６及び図７に示す容器１０を組み立てるために、差込片２０ａ〜２０ｄを、図３の二点鎖線で示す折れ目２６ａ〜２６ｄ、折れ目２７ａ〜２７ｄの各々で谷折りに折り曲げる。このようにすると、差込片２０ａ〜２０ｄの各々の一方の部分２８ａ〜２８ｄの各々と、他方の部分２９ａ〜２９ｄの各々とにおける所定範囲が狭まる。よって、差込片２０ａ〜２０ｄの被差込片３０ａ〜３０ｄへの差込が浅くなる。その結果、差込片２０ａ〜２０ｄの各々及び被差込片３０ａ〜３０ｄの各々が外方に傾き、図６及び図７に示すように、容器１０の形状が外広がりのものとなる。
【００４２】
このように、用途に応じて１枚の板状素材から側壁部の全体形状及び傾きを調整できる容器を容易に形成できる。
【００４３】
図８は、この発明の第２の実施の形態による容器の平面模式図である。
【００４４】
図を参照して、容器４０は、段ボール製の板状体よりなる底面部４１と、底面部４１の周縁４より上方に立ち上がる側壁部４２とからなり、上部が開放されたものである。側壁部４２は、所定間隔をおいて配置される３つの差込片４４ａ〜４４ｃと、差込片４４ａ〜４４ｃの各々の間に配置される３つの被差込片４７ａ〜４７ｃとからなり、差込片４４ａ〜４４ｃの各々及び被差込片４７ａ〜４７ｃの各々は、側壁部４２の上端部４３が平面視六角形となるように配置される。
【００４５】
被差込片４７ａの周方向の一方端部４８ａには、一方端部４８ａ側の差込片４４ａの一方の部分４５ａが、所定範囲において抜き差し自在に差し込まれる。又、被差込片４７ａの周方向の他方端部４９ａには、他方端部４９ａ側の差込片４４ｃの他方の部分４６ｃが、所定範囲において抜き差し自在に差し込まれる。尚、被差込片４７ｂの周方向の一方端部４８ｂには差込片４４ｂの一方の部分４５ｂが、周方向の他方端部４９ｂには差込片４４ａの他方の部分４６ａが同様に差し込まれる。又、被差込片４７ｃの周方向の一方端部４８ｃには差込片４４ｃの一方の部分４５ｃが、周方向の他方端部４９ｃには差込片４４ｂの他方の部分４６ｂが同様に差し込まれる。
【００４６】
このように構成すると、被差込片４７ａ〜４７ｃの各々に対する差込片４４ａ〜４４ｃの各々の差込量が調整できるので、図の一点鎖線及び二点鎖線で示すように、側壁部４２の全体形状及び傾きを調整できる。又、差込片４４ａ〜４４ｃの各々及び被差込片４７ａ〜４７ｃの各々が六角柱を形成するように配置されるから、側壁部４２の形状が安定する。
【００４７】
図９は、この発明の第３の実施の形態による容器の平面模式図であり、図１０は、図９で示した容器の展開模式図である。
【００４８】
まず、図９を参照して、容器５０は、段ボール製の板状体よりなる底面部５１と、底面部５１の周縁５２より上方に立ち上がる側壁部５３とからなり、上部が開放されたものである。
【００４９】
側壁部５３は、所定間隔をおいて配置される３つの差込片５５ａ〜５５ｃと、差込片５５ａ〜５５ｃの各々の間に配置される３つの被差込片６０ａ〜６０ｃとからなり、差込片５５ａ〜５５ｃの各々及び被差込片６０ａ〜６０ｃの各々は、側壁部５３の上端部５４が平面視三角形となるように配置される。
【００５０】
このように形成すると、差込片５５ａ〜５５ｃの各々及び被差込片６０ａ〜６０ｃの各々が中空三角柱形状を形成するように配置されるから、側壁部５３の形状が安定する。
【００５１】
ここで、図１０を参照して、底面部５１と、差込片５５ａ〜５５ｃの各々と、被差込片６０ａ〜６０ｃの各々とは一枚の段ボール製の板状素材５よりなる。被差込片６０ａ〜６０ｃの各々は、底面部５１の周縁５２より連続的に形成され、図の破線で示す底面部５１の水平方向の折り目６２ａ〜６２ｃ、折り目６３ａ〜６３ｃの各々にて折り曲げて２つ折りにしたものよりなる。又、差込片５５ａ〜５５ｃの各々は、被差込片６０ａ〜６０ｃの各々の２つ折りの一方６４ａ〜６４ｃの各々から周方向の一方端部６５ａ〜６５ｃの各々が延びるように形成される。そして、図９に示すように、被差込片６０ａの周方向の他方端部６６ａに差込片５５ｂの部分５６ｂが、被差込片６０ｂの周方向の他方端部６６ｂに差込片５５ｃの部分５６ｃが、被差込片６０ｃの周方向の他方端部６６ｃに差込片５５ａの部分５６ａが、それぞれ抜き差し自在に差し込まれる。尚、図９に示す容器５０は、板状素材５を図１０の破線で示す折り目６２ａ〜６２ｃ、折り目６３ａ〜６３ｃ、折り目６７ａ〜６７ｃ、折り目６８ａ〜６８ｃの各々にて谷折りにして組み立てたものよりなる。
【００５２】
このように構成すると、差込片５５ａ〜５５ｃの各々と被差込片６０ａ〜６０ｃの各々とが部分的に一体的なものとなるから、継ぎ目の少ない容器５０となる。又、被差込片６０ａ〜６０ｃの各々に対する差込片５５ａ〜５５ｃの各々の差込量が調整できるので、図９の一点鎖線及び二点鎖線で示すように、側壁部５３の全体形状及び傾きを調整できる。
【００５３】
図１１は、この発明の第４の実施の形態による容器の平面模式図であり、図１２は、図１１で示した容器の組み立て工程を示した模式図であり、図１３は、図１２の（２）で示した“Ｘ”部分の拡大図及びその端面図である。
【００５４】
まず、図１１を参照して、容器７０は、底面部７１と、底面部７１の周縁７２より上方に立ち上がる側壁部７３とからなり、上部が開放されたものである。側壁部７３は、所定間隔をおいて配置される４つの差込片７５ａ〜７５ｄと、差込片７５ａ〜７５ｄの各々の間に配置される４つの被差込片８０ａ〜８０ｄとからなり、差込片７５ａ〜７５ｄの各々及び被差込片８０ａ〜８０ｄの各々は、側壁部７３の上端部７４が平面視円形となるように配置される。
【００５５】
このように形成すると、差込片７５ａ〜７５ｄの各々及び被差込片８０ａ〜８０ｄの各々が中空円柱形状を形成するように配置されるから、側壁部７３が滑らかになる。
【００５６】
ここで、図１２の（１）を参照して、底面部７１、被差込片８０ｃ、差込片７５ｃ及び７５ｄの各々は、それぞれ独立した状態で段ボール製の板状体７、板状体８及び板状体９ａ及び９ｂより形成される。尚、図示しない被差込片８０ａ、８０ｂ及び８０ｄ、差込片７５ａ及び７５ｂも同様に形成される。図１１に示す容器７０の組み立てに当たっては、まず、円形に形成された板状体７よりなる底面部７１を準備する。次に、矩形に形成された板状体８を図の破線で示す底面部７１の水平方向の折り目８２及び折り目８３の各々にて折り曲げて２つ折りにしたものよりなる被差込片８０ｃを準備する。次に、矩形に形成された板状体９ａ及び９ｂよりなる差込片７５ｂ及び７５ｃを準備し、被差込片８０ｃの周方向の一方端部８４ｃに、一方端部８４ｃ側の差込片７５ｃの一方の部分７６ｃを抜き差し自在に差し込み、被差込片８０ｃの周方向の他方端部８５ｃに、他方端部８５ｃ側の差込片７５ｂの他方の部分７７ｂを抜き差し自在に差し込む。
【００５７】
ここで、図１２の（２）、図１３の（１）及び（２）を参照して、そのように準備した被差込片８０ｃ、差込片７５ｂ及び７５ｃの各々を底面部７１の周縁７２に配置して、接着剤等を用いて、底面部７１の外方端部７８と被差込片８０ｃの内面８６とを、底面部７１の上面７９と差込片７５ｃの下方端部８７及び被差込片８０ｃの内方側の下方端部８８とを、それぞれ一体化させる。他の被差込片８０ａ、８０ｂ及び８０ｄと、差込片７５ａ及び７５ｄとも同様に底面部７１と一体化させて、図１１に示す容器７０を形成する。
【００５８】
このように構成すると、被差込片８０ａ〜８０ｄの各々に対する差込片７５ａ〜７５ｄの各々の差込量が調整できるので、図１１の一点鎖線及び二点鎖線で示すように、側壁部７３の全体形状及び傾きを調整できる。
【００５９】
尚、上記の各実施の形態では、差込片及び被差込片の各々は３つ以上であったが、それぞれ少なくとも２つあればよい。
【００６０】
又、上記の各実施の形態では、差込片及び被差込片の各々は側壁部の上端部が特定形状となるように配置されていたが、側壁部の上端部が他の形状、例えば４以上の偶数の多角形や３以上の奇数の多角形になるように配置されてもよい。
【００６１】
更に、上記の各実施の形態では、被差込片は底面部の水平方向を折り目として２つ折りにしたものよりなるものであったが、差込片の周方向の少なくとも一方における所定範囲の部分を抜き差し自在に差し込むことができるものであれば他の構成のものであってもよい。
【００６２】
更に、上記の第１の実施の形態及び第３の実施の形態では、底面部、差込片及び被差込片の各々は一枚の板状素材から一体的に形成されるものであったが、それぞれ独立に形成してこれらを組み立てるものであってもよい。
【００６３】
更に、上記の各実施の形態では、容器は段ボール製の板状体よりなるものであったが、他の素材の板状体よりなるものであってもよい。
【００６４】
更に、上記の各実施の形態では、底面部には何も載置されていなかったが、底面部を覆うように載置して被差込片の２つ折りの形状を固定する底パッドや、爪とぎ用のシート等を載置してもよい。
【００６５】
更に、上記の各実施の形態では、差込片の各々は被差込片の各々に抜き差し自在に差し込まれるものであったが、差込片の差し込み状態を固定する構成を加えてもよい。
【００６６】
更に、上記の第１の実施の形態、第２の実施の形態及び第３の実施の形態では、一方向を容器の内面側としていたが、側壁部の立ち上がる方向を変えて表裏を反転して使用することもできる。このようにすると、表裏に異なる色を付けて色変化を楽しむ等の効果が期待できる。
【符号の説明】
【００６７】
１…板状素材
４…周縁
５…板状素材
７…板状体
８…板状体
９…板状体
１０…容器
１１…底面部
１２…周縁
１３…側壁部
１４…上端部
２０ａ〜２０ｄ…差込片
２８ａ〜２８ｄ…一方の部分
２９ａ〜２９ｄ…他方の部分
３０ａ〜３０ｄ…被差込片
３２ａ〜３２ｄ…折り目
３３ａ〜３３ｄ…折り目
３８ａ〜３８ｄ…一方端部
３９ａ〜３９ｄ…他方端部
４０…容器
４１…底面部
４２…側壁部
４３…上端部
４４ａ〜４４ｃ…差込片
４５ａ〜４５ｃ…一方の部分
４６ａ〜４６ｃ…他方の部分
４７ａ〜４７ｃ…被差込片
４８ａ〜４８ｃ…一方端部
４９ａ〜４９ｃ…他方端部
５０…容器
５１…底面部
５２…周縁
５３…側壁部
５４…上端部
５５ａ〜５５ｃ…差込片
５６ａ〜５６ｃ…部分
６０ａ〜６０ｃ…被差込片
６２ａ〜６２ｃ…折り目
６３ａ〜６３ｃ…折り目
６４ａ〜６４ｃ…２つ折りの一方
６５ａ〜６５ｃ…一方端部
６６ａ〜６６ｃ…他方端部
７０…容器
７１…底面部
７２…周縁
７３…側壁部
７４…上端部
７５ａ〜７５ｄ…差込片
７６ａ〜７６ｄ…一方の部分
７７ａ〜７７ｄ…他方の部分
８０ａ〜８０ｄ…被差込片
８２…折り目
８３…折り目
８４ａ〜８４ｄ…一方端部
８５ａ〜８５ｄ…他方端部
尚、各図中同一符号は同一又は相当部分を示す。
【図１】
2014042480.tif 000003
【図２】
2014042480.tif 000004
【図３】
2014042480.tif 000005
【図４】
2014042480.tif 000006
【図５】
2014042480.tif 000007
【図６】
2014042480.tif 000008
【図７】
2014042480.tif 000009
【図８】
2014042480.tif 000010
【図９】
2014042480.tif 000011
【図１０】
2014042480.tif 000012
【図１１】
2014042480.tif 000013
【図１２】
2014042480.tif 000014
【図１３】
2014042480.tif 000015
【図１４】
2014042480.tif 000016
【図１５】
2014042480.tif 000017